(57)【要約】【課題】  プラズマディスプレイパネルのマルチスキャン装置及び方法を提供する。 【解決手段】  本発明によれば、各スキャンラインに対する一つのフレームを形成するデータ信号が比較され、前記比較した結果を用いてデータ信号が同一なスキャンラインは同時にスキャンする。データ信号が同一なスキャンラインを同時にスキャンすることによって、パネルでスキャン時間が占める比率が低く、これによって光が発生するサステイン時間が増加して十分な輝度を有する映像が画面に表示される。 【選択図】図３
2006251799.tif 000002
【特許請求の範囲】
【請求項１】
パネルの各スキャンラインに対するデータ信号を貯蔵するデータ信号貯蔵部と、
前記データ信号貯蔵部に貯蔵された各スキャンラインのデータ信号を比較するデータ信号比較部と、
前記データ信号比較部がデータ信号を比較した結果を入力され、データ信号が同一なスキャンラインの位置を一つの集合で形成して貯蔵する同一データ信号ライン位置貯蔵部と、
前記同一データ信号ライン位置貯蔵部に貯蔵された同一なデータ信号を有するスキャンラインの位置の集合を用いてスキャンするラインを選択するスキャンライン選択部と、  
前記スキャンライン選択部が選択したスキャンするラインにスキャン信号を入力するスキャン信号駆動部と、
前記スキャンライン選択部がスキャンするラインを選択するにあたって重複して選択しないように制御する制御部と、を含んで構成されるプラズマディスプレイパネルのマルチスキャン装置。
【請求項２】
前記スキャンライン選択部が選択したスキャンするラインは一つ以上であることを特徴とする請求項１に記載のプラズマディスプレイパネルのマルチスキャン装置。
【請求項３】
前記データ信号貯蔵部は、
一つのフレームに対するデータ信号を貯蔵することを特徴とする請求項１に記載のプラズマディスプレイパネルのマルチスキャン装置。
【請求項４】
前記データ信号貯蔵部に貯蔵されたデータ信号のうち前記スキャンライン選択部が選択したスキャンするラインに対するデータ信号を入力されてパネルに出力するデータ信号駆動部をさらに含むことを特徴とする請求項１に記載のプラズマディスプレイパネルのマルチスキャン装置。
【請求項５】
前記スキャンライン選択部が選択したスキャンするラインが複数の場合、前記データ信号駆動部は前記スキャンライン選択部が選択した複数のスキャンするラインのうち一つのラインに対するデータ信号を入力されることを特徴とする請求項４に記載のプラズマディスプレイパネルのマルチスキャン装置。
【請求項６】
前記スキャンライン選択部は、
前記同一データ信号ライン位置貯蔵部に貯蔵された同一なデータ信号を有するスキャンラインの位置の集合を用いて、制御部から入力されたスキャンするラインと同時にスキャンするラインが存在するか否かを判断し、スキャンするラインに対するイネーブル信号を出力する同時スキャン判断部と、
前記同時スキャン判断部が出力したイネーブル信号を用いてスキャンされるラインの位置を貯蔵するスキャンライン位置貯蔵部と、
前記スキャンライン位置貯蔵部に貯蔵されたスキャンされたラインの位置を用いて前記制御部から入力されたスキャンするラインが既にスキャンされたか否かを判断するスキャン与否判断部で構成されることを特徴とする請求項１に記載のプラズマディスプレイパネルのマルチスキャン装置。 
【請求項７】
前記スキャン与否判断部は、パネルの最上段に位置するスキャンラインから最下段に位置するスキャンラインまで順次に１ラインずつ、スキャンするラインを入力されることを特徴とする請求項６に記載のプラズマディスプレイパネルのマルチスキャン装置。
【請求項８】
前記同時スキャン判断部は、
前記スキャン与否判断部が制御部から入力されたスキャンするラインのうち既にスキャンされなかったと判断したスキャンするラインを入力されることを特徴とする請求項６に記載のプラズマディスプレイパネルのマルチスキャン装置。
【請求項９】
プラズマディスプレイパネルに表示する各ラインのデータ信号を貯蔵する段階と、
前記貯蔵したデータ信号を比較して同一なデータ信号を有するラインを抽出する段階と、
スキャンするラインを選択する段階と、
前記選択したスキャンするラインと同一なデータ信号を有するラインを同時にスキャンするようにスキャン信号を発生する段階と、を含むプラズマディスプレイパネルのマルチスキャン方法。
【請求項１０】
前記同時に発生したスキャン信号を入力されるスキャン電極は同一なデータ電極から同一なデータ信号を印加されることを特徴とする請求項９に記載のプラズマディスプレイパネルのマルチスキャン方法。
【請求項１１】
前記データ信号の比較は、
一つのフレームを構成する各ラインのデータ信号を相互間に全て比較することを特徴とする請求項９に記載のプラズマディスプレイパネルのマルチスキャン方法。
【請求項１２】
前記データ信号の相互間の比較は、
各ラインのデータ信号を画素別に比較することを特徴とする請求項１０に記載のプラズマディスプレイパネルのマルチスキャン方法。
【請求項１３】
前記データ信号の比較は、
一つのフレームを構成する全てのラインのデータ信号が全て貯蔵される場合に比較することを特徴とする請求項９に記載のプラズマディスプレイパネルのマルチスキャン方法。
【請求項１４】
前記スキャンするラインの選択は、
前記プラズマディスプレイパネルの上端に位置するラインから下端に位置するラインまで順次に一つずつ選択することを特徴とする請求項９に記載のプラズマディスプレイパネルのマルチスキャン方法。
【請求項１５】
前記スキャンするラインの選択は、
前記プラズマディスプレイパネルがデュアルスキャン方式の場合に上部パネル及び下部パネルそれぞれの上端に位置するラインから下端に位置するラインまで順次に一つずつ選択することを特徴とする請求項９に記載のプラズマディスプレイパネルのマルチスキャン方法。
【請求項１６】
前記スキャン信号を発生する段階は、
前記選択したラインと同一なデータ信号を有するラインが抽出されたか否かを判断する段階と、
前記同一なデータ信号を有するラインが抽出された場合、前記選択したライン及び前記同一なデータ信号を有するラインを同時にスキャンするようにスキャン信号を発生する段階とから構成されることを特徴とする請求項９に記載のプラズマディスプレイパネルのマルチスキャン方法。
【請求項１７】
前記同一なデータ信号を有するラインが抽出されない場合、前記選択したラインだけスキャンするようにスキャン信号を発生する段階をさらに含むことを特徴とする請求項１５に記載のプラズマディスプレイパネルのマルチスキャン方法。
【請求項１８】
前記選択したライン以前にスキャンしたラインの場合、スキャン信号の発生をスキップする段階をさらに含むことを特徴とする請求項９に記載のプラズマディスプレイパネルのマルチスキャン方法。
【発明の詳細な説明】
【技術分野】
【０００１】
本発明はプラズマディスプレイパネルのマルチスキャン装置及び方法に関する。 
【背景技術】
【０００２】
最近、映像表示装置の高品質化に多大な関心が集まっている。特に、ＦＰＤ(Flat Panel Display)に対する関心が高まることに伴って、ＣＲＴ(Cathode Ray Tube)の代りにＬＣＤ(Liquid Crystal Display)、ＯＬＥＤ(Organic Light Emitting Diodes)、ＰＤＰ(Plasma Display Panel)、ＦＥＤ(Field Emission Display)など次世代映像表示装置の出現が増加しつつある。
【０００３】
ＦＰＤの一つであるプラズマディスプレイパネルは重量がＣＲＴの約１/６であり、視野角は１６０°以上でＬＣＤに比べて優れる。そして、プラズマディスプレイパネルは画面の均一性が良好であり、地球の磁界である地磁界の影響がないことから、最近は使用者数が延びつつある傾向である。 
【０００４】
プラズマディスプレイパネルはｍ列ｎ行のマトリックス構成を取る。プラズマディスプレイパネルは列方向に複数のアドレス電極が配されており、行方向にはスキャン電極及びサステイン電極が対をなして複数個が配列されている。そして、プラズマディスプレイパネルはアドレス電極と、スキャン電極及びサステイン電極との間の交差部に位置しているセルに電圧が印加され発光する。すなわち、プラズマディスプレイパネルは電圧が印加されたセルに存在するHe+Xe、Ne+Xe及びHe+Ne+Xeガスなどの不活性混合ガスが放電され、混合ガスの放電により発生する１４７ｎｍの紫外線により蛍光体(Ｒ、Ｇ、Ｂ)が発光され映像を表示する。放電はサステイン電極に印加された電源により一定時間維持されるサステイン(Sustain)期間を有する。  
【０００５】
プラズマディスプレイパネルは、アドレス期間において、スキャン電極とアドレス電極に印加された電位差によってアドレス放電を発生させて点灯するセルを選択し、サステイン期間において、スキャン電極とサステイン電極と間の表示放電により映像を表示する。プラズマディスプレイパネルのスキャン電極にはパネルの行方向に最上端に位置するスキャン電極から１ラインずつ順次に電極が印加される。しかし、データ信号に応じてプラズマディスプレイパネルの全ラインに順次に一つずつ電源を印加する場合、プラズマディスプレイパネルに表示される映像の輝度が低下する。
【０００６】
このような従来の技術を図１及び図２を参照して説明する。
【０００７】
図１は従来のプラズマディスプレイパネルのスキャン装置の構成を示したブロック図である。示されているように、従来のプラズマディスプレイパネルのスキャン装置はデータ信号駆動部１００と、スキャン信号駆動部１１０と、プラズマディスプレイパネル１２０とから構成される。
【０００８】
データ信号駆動部１００は映像に関するデータ信号を入力されプラズマディスプレイパネル１２０のデータ電極に出力する。プラズマディスプレイパネル１２０に列方向に配列されているアドレス電極にはデータ信号駆動部１００が出力したデータ信号が印加される
スキャン信号駆動部１１０はプラズマディスプレイパネル１２０の行方向に１ラインずつ順次にスキャン信号を出力する。プラズマディスプレイパネル１２０に行方向に配列されているスキャン電極はスキャン信号駆動部１１０が出力したスキャン信号に電圧が印加される。 
【０００９】
前記プラズマディスプレイパネル１２０はスキャン信号駆動部１１０が出力したスキャン信号に応じて電圧が印加されたスキャン電極と、データ信号駆動部１００が出力したデータ信号に応じて電圧が印加されたアドレス電極との間に放電が発生する。プラズマディスプレイパネル１２０は電圧が印加されたスキャン電極のラインに映像が表示される。例えば、スキャン信号駆動部１１０はプラズマディスプレイパネル１２０の行方向に最上端に位置するスキャン電極から最下端に位置するスキャン電極まで１ラインずつ順次にスキャン信号を出力する。アドレス期間において、スキャン信号が印加されたスキャン電極に位置する各セルはスキャン電極とアドレス電極に印加された電圧による放電で点灯するセルが選択され、サステイン期間において、スキャン電極とサステイン電極との間の表示放電による蛍光体の発光によって映像が表示される。 
【００１０】
しかし、従来のプラズマディスプレイパネルのスキャン装置は、データ信号に応じてプラズマディスプレイパネルの全てのスキャン電極が順次に一つずつ選択されスキャン信号が印加される。すなわち、図２に示したように、従来はプラズマディスプレイパネル１２０に所定の映像を表示する場合にスキャン電極Ｌ１、Ｌ２、…Ｌｎを一つずつ順次に選択してスキャン信号を印加する。
【００１１】
従って、プラズマディスプレイパネルを駆動させる全体駆動時間においてスキャン時間が延び、プラズマディスプレイパネルの放電を維持するサステイン時間は相対的に短かった。これにより、プラズマディスプレイパネルの画面に表示される映像が十分な輝度を持てなかった。
【００１２】
例えば、プラズマディスプレイパネルがＶＧＡ(Video graphic array)級で４８０個のスキャンラインを有しており、１２サブフィールド(Sub-field)でスキャン電極を選択してスキャン信号を印加する場合、スキャン時間は全体駆動時間の５２％である８．６４ｍｓである。そしてプラズマディスプレイパネルがＸＧＡ(Extended graphic array)級で７６８個のスキャン電極を有しており、１２サブフィールドでスキャン電極を選択してスキャン信号を印加する場合、スキャン時間は全体駆動時間の８２．８％である１３．８ｍｓの時間がかかる。 
【００１３】
前述したように従来のプラズマ ディスプレイパネルのスキャン装置を使用する場合、全体駆動時間においてスキャン時間が占める比率が高い。これによりサステイン時間が減少するため、プラズマディスプレイパネルの画面に表示される映像が十分な輝度を持てない問題点があった。 
【発明の開示】
【発明が解決しようとする課題】
【００１４】
本発明は前述した従来の技術の問題点を解決するために案出されたもので、その目的はプラズマディスプレイパネルで同一なデータ信号を有する複数のスキャンラインを同時にスキャンしてスキャン時間を縮めるプラズマディスプレイパネルのマルチスキャン装置及び方法を提供するところにある。 
【００１５】
本発明の他の目的は、プラズマディスプレイパネルにおいてスキャン時間の減少によるサステイン時間の増加で十分な輝度を有する映像を画面に表示させるプラズマディスプレイパネルのマルチスキャン装置及び方法を提供するところにある。 
【課題を解決するための手段】
【００１６】
前述した目的を有する本発明によれば、一つのフレームを構成する各ラインのデータ信号を画素別に比較して同一なデータ信号を有するラインを抽出する。
【００１７】
そして、前記抽出した同一データ信号を有するラインをスキャンする場合同時にスキャン信号を発生して、スキャン信号を発生する全体時間を短縮することができるようにする。  従って、本発明に係るプラズマディスプレイパネルのマルチスキャン装置は、パネルの各スキャンラインに対するデータ信号を貯蔵するデータ信号貯蔵部と、前記データ信号貯蔵部に貯蔵された各スキャンラインのデータ信号を比較するデータ信号比較部と、前記データ信号比較部がデータ信号を比較した結果を入力されデータ信号が同一なスキャンラインの位置を一つの集合で形成して貯蔵する同一データ信号ライン位置貯蔵部と、前記同一データ信号ライン位置貯蔵部に貯蔵された同一なデータ信号を有するスキャンラインの位置の集合を用いてスキャンするラインを選択するスキャンライン選択部と、前記スキャンライン選択部が選択したスキャンするラインにスキャン信号を入力するスキャン信号駆動部と、前記データ信号貯蔵部に貯蔵されたデータ信号のうち前記スキャンライン 選択部が選択したスキャンするラインに対するデータ信号を入力されてパネルに出力するデータ信号駆動部と、前記スキャンライン選択部がスキャンするラインを選択するにあたって重複して選択しないように制御する制御部とを含んで構成されることを特徴とする。 
【００１８】
前記スキャンライン選択部が選択したスキャンするラインは一つ以上であることを特徴とする。 
【００１９】
前記データ信号貯蔵部は一つのフレームに対するデータ信号を貯蔵することを特徴とする。   
【００２０】
前記スキャンライン選択部が選択したスキャンするラインが複数の場合、前記データ信号駆動部は前記スキャンライン選択部が選択した複数のスキャンするラインのうち一つのラインに対するデータ信号を入力されることを特徴とする。 
【００２１】
前記スキャンライン選択部は前記同一データ信号ライン位置貯蔵部に貯蔵された同一なデータ信号を有するスキャンラインの位置の集合を用いて、制御部から入力されたスキャンするラインと同時にスキャンするラインが存在するか否かを判断し、スキャンするラインに対するイネーブル信号を出力する同時スキャン判断部と、前記同時スキャン判断部が出力したイネーブル信号を用いてスキャンされるラインの位置を貯蔵するスキャンライン位置貯蔵部と、前記スキャンライン位置貯蔵部に貯蔵されたスキャンされたラインの位置を用いて前記制御部から入力されたスキャンするラインが既にスキャンされたか否かを判断するスキャン与否判断部とから構成されることを特徴とする。 
【００２２】
前記スキャン与否判断部はパネルの最上端に位置するスキャンラインから最下端に位置するスキャンラインまで順次に一つのラインずつ入力されることを特徴とする。 
【００２３】
前記同時スキャン判断部は前記スキャン与否判断部が制御部から入力されたスキャンするラインのうち既にスキャンされていないと判断したスキャンするラインを入力されることを特徴とする。 
【００２４】
そして、本発明のプラズマディスプレイパネルのマルチスキャン方法は、プラズマディスプレイパネルに表示する各ラインのデータ信号を貯蔵する段階と、前記貯蔵したデータ信号を比較して同一なデータ信号を有するラインを抽出する段階と、スキャンするラインを選択する段階と、前記選択したスキャンするラインと同一なデータ信号を有するラインを同時にスキャンするようにスキャン信号を発生する段階と、を含むことを特徴とする。
【００２５】
前記同時に発生したスキャン信号を入力されるスキャン電極はデータ電極から同一なデータ信号を印加されることを特徴とする。
【００２６】
前記データ信号の比較は、一つのフレームを構成する各ラインのデータ信号を相互間に全て比較することを特徴とする。
前記データ信号の相互間の比較は、各ラインのデータ信号を画素別に比較することを特徴とする。
【００２７】
前記データ信号の比較は、一つのフレームを構成する全てのラインのデータ信号が全て貯蔵される場合に比較することを特徴とする。
前記スキャンするラインの選択は、前記プラズマディスプレイパネルの上端に位置するラインから下端に位置するラインまで順次に一つずつ選択することを特徴とする。
前記スキャンするラインの選択は、前記プラズマディスプレイパネルがデュアルスキャン方式の場合に上部パネル及び下部パネルそれぞれの上端に位置するラインから下端に位置するラインまで順次に一つずつ選択することを特徴とする。
前記スキャン信号を発生する段階は、前記選択したラインと同一なデータ信号を有するラインが抽出されたか否かを判断する段階と、前記同一なデータ信号を有するラインが抽出された場合、前記選択したライン及び前記同一なデータ信号を有するラインを同時にスキャンするようにスキャン信号を発生する段階とから構成されることを特徴とする。 
【００２８】
前記同一なデータ信号を有するラインが抽出されない場合、前記選択したラインだけスキャンするようにスキャン信号を発生する段階をさらに含むことを特徴とする。
【００２９】
そして、前記選択したライン以前にスキャンしたラインの場合、スキャン信号の発生をスキップする段階をさらに含むことを特徴とする。 
【発明の効果】
【００３０】
以上述べたように、本発明はプラズマディスプレイパネルの全ラインをスキャンするにあたって、データ信号が同一なラインは同時にスキャンするようにスキャン信号を発生する。従って、全ラインをスキャンするのにかかるスキャン時間を短縮することができ、よって相対的に光が発生するサステイン時間が増加してプラズマディスプレイパネルに表示される映像は十分な明るさの輝度を有することができる。
【発明を実施するための最良の形態】
【００３１】
以下、添付した図面に基づき本発明の望ましい実施形態をさらに詳述する。
【００３２】
図３は本発明のプラズマディスプレイパネルのマルチスキャン装置の構成を示したブロック図である。同図によれば、本発明のプラズマディスプレイパネルのマルチスキャン装置はデータ信号貯蔵部２００と、データ信号駆動部２１０と、データ信号比較部２２０と、同一データ信号ライン位置貯蔵部２３０と、スキャンライン選択部２４０と、制御部２５０と、スキャン信号駆動部２６０と、プラズマディスプレイパネル２７０とを含んで構成される。 
【００３３】
データ信号貯蔵部２００はプラズマディスプレイパネル２７０の行方向に各ラインに対する映像のデータ信号を入力され順次に貯蔵する。入力されたデータ信号を貯蔵するにあたって、データ信号貯蔵部２００は１フレーム(Frame)に対するデータ信号を貯蔵する。すなわち、データ信号貯蔵部２００は１フレームを構成する全てのラインのデータ信号を貯蔵する。  
【００３４】
データ信号貯蔵部２００はスキャンする各ラインのデータ信号をデータ信号駆動部２１０に出力する。複数のラインを同時にスキャンしようとする場合、データ信号貯蔵部２００は複数のラインに該当するデータ信号のうち一つのラインに対するデータ信号だけを出力する。なぜならば、複数のラインを同時にスキャンする場合は複数のラインに対するデータ信号が同一な場合であるからである。従って、同時にスキャンする複数のラインのうち一つのラインに該当するデータ信号がデータ信号貯蔵部２００から出力されても、パネル２７０に表示される映像は影響を受けない。例えば、５番目ラインと１０番目ラインを同時にスキャンしようとする場合、データ信号貯蔵部２００は前記５番目ラインと１０番目ラインに該当するデータ信号のうち一つだけを選択してデータ信号駆動部２１０に出力する。
【００３５】
データ信号駆動部２１０は前記データ信号貯蔵部２００が出力したデータ信号を入力されてプラズマディスプレイパネル２７０に出力する。前述したようにデータ信号駆動部２１０は複数のラインが同時にスキャンされる場合、前記データ信号貯蔵部２００に貯蔵された複数のラインのデータ信号のうち一つのラインのデータ信号を入力される。 
【００３６】
データ信号比較部２２０は前記データ信号貯蔵部２００に貯蔵された１フレームのデータ信号を全て入力される。データ信号比較部２２０は各ラインのデータ信号を相互間に比較する。例えば、データ信号比較部２２０は比較器(Comparator)で構成されるものであって、各ラインのデータ信号をそれぞれの画素別に比較する。しかし、データ信号比較部２２０は比較器で構成されデータ信号を比較することに限定されず、データ信号を比較できる諸般の手段で各ラインのデータ信号を比較することができる。 
【００３７】
同一データ信号ライン位置貯蔵部２３０はデータ信号比較部２２０が各ラインに該当するデータ信号を比較した結果を入力され、データ信号が同一なラインの位置を一つの集合で形成して貯蔵する。例えば、１番目ラインと５番目ラインと１０番目ラインのデータ信号が同一であり、２番目ラインと６番目ラインのデータ信号が同一な場合、同一データ信号ライン位置貯蔵部２３０は１番目ラインと５番目ラインと１０番目ラインを一つの集合を形成して貯蔵し、２番目ラインと６番目ラインを他の一つの集合を形成して貯蔵する。
【００３８】
スキャンライン選択部２４０はスキャンするラインを選択して、スキャンするラインに対するイネーブル信号を出力する。スキャンライン選択部２４０はデータ信号が同一な複数のスキャンラインが存在する場合に複数のラインを同時に選択し、選択した複数のラインに対するイネーブル信号を出力する。スキャンライン選択部２４０がスキャンするラインを選択する構成を後述する。 
【００３９】
制御部２５０はプラズマディスプレイパネル２７０の最上端に位置するラインから最下端に位置するラインまで順次に一つのラインずつ選択してスキャンライン選択部２４０に入力させる。制御部２５０は前記スキャンライン選択部２４０でスキャンするラインを選択するにあたって、重複して選択されないように制御する。制御部２５０がスキャンライン選択部２４０を制御する構成は後述する。 
【００４０】
スキャン信号駆動部２６０はスキャンライン選択部２４０が出力したイネーブル信号を入力されてプラズマディスプレイパネル２７０の各スキャン電極にスキャン信号を印加する。スキャン信号駆動部２６０は特定ラインに対するイネーブル信号をスキャンライン選択部２４０から入力された場合、該当スキャン電極にスキャン信号を印加する。スキャン信号駆動部２６０は入力されたイネーブル信号が複数のラインに対するイネーブル信号の場合、複数のラインに該当するスキャン電極にスキャン信号を印加する。 
【００４１】
プラズマディスプレイパネル２７０は、アドレス期間において、前記データ信号駆動部２１０とスキャン信号駆動部２６０から入力されたデータ信号及びスキャン信号を各セルのスキャン電極とアドレス電極に印加する。スキャン信号が印加されるスキャン電極とアドレス電極との間の電位差による放電によって点灯するセルが選択される。アドレス期間に引き続くサステイン期間では、スキャン電極とサステイン電極とに交互にサステインパルスが入力され、両電極間の表示放電によってアドレス期間に選択されたセルが点灯して、映像が表示される。
【００４２】
一方、図４は図３のスキャンライン選択部２４０の詳細な構成を示したブロック図である。示されているように、スキャンライン選択部２４０は同時スキャン判断部３００と、スキャンライン位置貯蔵部３１０と、スキャン与否判断部３２０とから構成される。
【００４３】
同時スキャン判断部３００は現在スキャンするラインと同時にスキャンされるべきラインが存在するか否かを判断する。すなわち、同時スキャン判断部３００は現在スキャンするラインに該当するデータ信号と同一なデータ信号を有するラインが存在するか否かを判断する。スキャンするライン（スキャンするラインを特定する情報）は制御部２５０から入力される。前記判断を行なうにあたって、同時スキャン判断部３００は同一データ信号ライン位置貯蔵部２３０に貯蔵されたライン位置の集合を用いる。スキャンするラインに該当するデータ信号と同一なデータ信号を有するラインが存在する場合、同時スキャン判断部３００はデータ信号の同一なラインが同時にスキャンされうるように複数のラインに対するイネーブル信号を出力する。しかし、現在スキャンするラインに該当するデータ信号と同一なデータ信号を有するラインが存在しない場合、同時スキャン判断部３００は制御部２５０から入力されたスキャンするラインに対するイネーブル信号を出力する。 
【００４４】
例えば、同時スキャン判断部３００が制御部２５０から入力されたスキャンするラインが１０番目ラインの場合、 同時スキャン判断部３００は１０番目ラインに該当するデータ信号と同一なデータ信号を有するラインが存在するか否かを同一なデータ信号ライン位置貯蔵部に貯蔵されたライン位置の集合を用いて判断する。前記判断において１０番目ラインと１３番目ラインに該当するデータ信号が同一であれば、同時スキャン判断部３００は前記１０番目ラインと１３番目ラインが同時にスキャンされうるように、各ラインに対するイネーブル信号をスキャン信号駆動部２６０に出力する。
【００４５】
スキャンライン位置貯蔵部３１０は同時スキャン判断部３００が出力したイネーブル信号を用いてスキャンされるラインの位置を貯蔵する。同時スキャン判断部３００が出力するイネーブル信号に応じてスキャンするラインの位置が決定される。従って、スキャンライン位置貯蔵部３１０はイネーブル信号が入力される該当ラインの位置を貯蔵することによって、スキャンされるラインの位置を貯蔵できる。 
【００４６】
スキャン与否判断部３２０は前記制御部２５０から入力されるスキャンするラインが前記スキャンライン位置貯蔵部３１０に貯蔵されているか否かを判断する。すなわち、スキャン与否判断部３２０は制御部２５０から入力されるスキャンするラインが既にスキャンされたラインであるか否かを判断する。前記制御部２５０から入力されるスキャンするラインの位置はプラズマディスプレイパネル２７０の最上端に位置するラインから最下端に位置するラインまで行方向に１ラインずつ入力される。スキャン与否判断部３２０は制御部２５０から入力されるスキャンするラインがスキャンライン位置貯蔵部３１０に貯蔵された場合、スキャンするラインが以前にスキャンされたとの判断信号を制御部２５０に出力する。スキャンするラインが以前にスキャンされたとの判断信号を入力された制御部２５０はスキャンするラインが同時スキャン判断部３００に入力されないようにする。すなわち、スキャン与否判断部３２０が出力した判断信号で、前記同時スキャン判断部３００にスキャンするラインが入力されないように制御部２５０が制御することによって、一つのフレームを構成するにあたって、同一なラインが重複してスキャンされることを防止する。スキャン与否判断部３２０は制御部２５０からスキャンするラインの位置を繰り返して入力され、入力されたスキャンするラインが以前にスキャンされたか否かを判断する。
【００４７】
一方、図５はプラズマディスプレイパネル２７０のマルチスキャン方法を示した流れ図である。示したように段階(Ｓ４００)でパネルの各ラインに対するデータ信号を貯蔵する。すなわち、データ信号貯蔵部２００はパネルの各ラインに対するデータ信号を入力され貯蔵する。データ信号貯蔵部２００は前記入力されたデータ信号を貯蔵するにおいて、１フレームに対するデータ信号を貯蔵する。 
【００４８】
段階(Ｓ４０２)で貯蔵したデータ信号を比較する。すなわちデータ信号比較部２２０はデータ信号貯蔵部２００に貯蔵された各ラインのデータ信号を画素別に比較する。 
【００４９】
段階(Ｓ４０４)で同一なデータ信号を有するラインの位置を貯蔵する。同一データ信号ライン位置貯蔵部２３０はデータ信号比較部２２０がデータ信号を比較した結果を入力される。同一データ信号ライン位置貯蔵部２３０は前記入力された比較結果を用いて、同一なデータ信号を有するラインの位置を一つの集合で形成して貯蔵する。
【００５０】
段階(Ｓ４０６)でスキャンするラインを選択する。制御部２５０はプラズマディスプレイパネル２７０の最上端に位置するラインから最下端に位置するラインまで行方向に１ラインずつ順次にスキャンするラインとして選択する。
【００５１】
段階(Ｓ４０８)でスキャンするラインが以前にスキャンしたラインであるか否かを判断する。スキャン与否判断部３２０は制御部２５０から入力されたスキャンするラインがスキャンライン位置貯蔵部３１０に貯蔵されているか否かを判断する。スキャンライン位置貯蔵部３１０は同時スキャン判断部３００が出力するイネーブル信号を用いてスキャンされるラインの位置を貯蔵する。同時スキャン判断部３００が出力するイネーブル信号に該当するラインがスキャンされるので、前記イネーブル信号に該当するラインを貯蔵することによって、スキャンしたラインがスキャンライン位置貯蔵部３１０に貯蔵される。従って、スキャン与否判断部３２０はスキャンライン位置貯蔵部３１０を通じて制御部２５０から入力されたスキャンするラインが既にスキャンされたか否かを判断することができる。  前記段階(Ｓ４０８)の判断結果、スキャンするラインが以前にスキャンしたラインの場合、段階(Ｓ４１０)でスキャンするラインをスキップする。スキャン与否判断部３２０の判断結果、制御部２５０から入力されたスキャンするラインが既にスキャンしたラインの場合、スキャン与否判断部３２０は制御部２５０に判断信号を出力する。前記判断信号を入力された制御部２５０は同時スキャン判断部３００にスキャンするラインが入力されることを遮断する。同時スキャン判断部３００がイネーブル信号を出力することによって該当ラインがスキャンされるが、同時スキャン判断部３００にスキャンするラインが入力されないことによって、スキャンするラインがスキップされる。すなわち、同時スキャン判断部３００にスキャンするラインが入力されないとの意味は該当ラインのスキャンがスキップされることを意味するからである。 
【００５２】
前記段階(Ｓ４０８)の判断結果、スキャンするラインが以前にスキャンしたラインでない場合、段階(Ｓ４１２)でスキャンするラインと同一なデータ信号を有するラインが存在するか否かを判断する。制御部２５０がスキャン与否判断部３２０からスキャンするラインが以前にスキャンしたラインでないとの判断信号を入力された場合、制御部２５０はスキャンするラインが同時スキャン判断部３００に入力されるように制御する。同時スキャン判断部３００は制御部２５０から入力されたスキャンするラインと同時にスキャンするラインの存否を判断する。同時スキャン判断部３００が同時にスキャンするラインが存在するか否かを判断するにおいて、同一データ信号ライン位置貯蔵部２３０に貯蔵されたデータ信号が同一なラインの集合を用いて判断する。
【００５３】
前記段階(Ｓ４１２)の判断結果、現在スキャンするラインと同一なデータ信号を有するラインが存在しない場合、段階(Ｓ４１４)で現在スキャンするラインだけをスキャンする。同時スキャン判断部３００は制御部２５０から入力されたスキャンするラインと同一なデータ信号を有するラインが存在しない場合、同時にスキャンするラインが存在しないと判断する。前記判断によって同時スキャン判断部３００は制御部２５０から入力されたスキャンするラインに対するイネーブル信号を出力する。スキャン信号駆動部２６０は前記同時スキャン判断部３００が出力したイネーブル信号に該当するラインのスキャン電極にスキャン信号を出力する。例えば、制御部２５０から入力されたスキャンするラインが３番目ラインであり、同時スキャン判断部３００の判断結果３番目ラインと同一なデータ信号を有するラインが存在しないと判断する場合、同時スキャン判断部３００は３番目ラインに対するイネーブル信号をスキャン信号駆動部２６０に出力する。スキャン信号駆動部２６０は入力された前記イネーブル信号に応じて３番目ラインだけをスキャンするように、３番目ラインに該当するスキャン電極にスキャン信号を出力する。すなわち、スキャン信号駆動部２６０は３番目ラインにスキャン信号を印加する。 
【００５４】
前記段階(Ｓ４１２)の判断結果、スキャンするラインと同一なデータ信号を有するスキャンラインが存在する場合、段階(Ｓ４１６)で同一なデータ信号を有する複数のラインを同時にスキャンする。同時スキャン判断部３００は制御部２５０から入力されたスキャンするラインと同一なデータ信号を有するラインが存在すると判断した場合、前記制御部２５０から入力されたスキャンするラインと同時にスキャンするラインに対するイネーブル信号をスキャン信号駆動部２６０に出力する。スキャン信号駆動部２６０は入力されたイネーブル信号に応じて複数のラインが同時にスキャンされるようにスキャン信号を出力する。例えば、同時スキャン判断部３００が制御部２５０から入力されたスキャンするラインが３番目ラインの場合、同時スキャン判断部３００は３番目ラインに該当するデータ信号と同一なデータ信号を有するラインが存在するかを判断する。前記判断結果１２番目ラインに該当するデータ信号が３番目ラインに該当するデータ信号と同一な場合、同時スキャン判断部３００は３番目ラインと１２番目ラインに対するイネーブル信号をスキャン信号駆動部２６０に出力する。スキャン信号駆動部２６０は前記入力されたイネーブル信号に応じて３番目ラインと１２番目ラインに該当するスキャン電極に同時にスキャン信号を出力する。すなわち、スキャン信号駆動部２６０は３番目及び１２番目スキャン電極にスキャン信号を印加する。  
【００５５】
段階(Ｓ４１８)ではプラズマディスプレイパネル２７０の全ラインをスキャンしたか否かを判断する。プラズマディスプレイパネル２７０の全ラインをスキャンした場合に一つのフレームが形成される。データ信号貯蔵部２００には一つのフレームに対するデータ信号が貯蔵されているので、次のフレームに対するデータ信号がデータ信号貯蔵部２００に貯蔵され次のフレームの映像が表示されうるようにプラズマディスプレイパネル２７０の全ラインをスキャンしたか否かを判断する。制御部２５０はプラズマディスプレイパネル２７０の最上段に位置するラインから行方向に一つのラインずつスキャンするデータ信号を選択するので、制御部２５０がプラズマディスプレイパネル２７０の最下端に位置するラインをスキャンするデータ信号として選択したか否によって、プラズマディスプレイパネル２７０の全ラインをスキャンしたか否かを判断することができる。 
【００５６】
前記段階(Ｓ４１８)の判断結果、プラズマディスプレイパネル２７０の全ラインをスキャンしない場合はまだ一つのフレームが形成されなかったため、制御部２５０は前記選択したスキャンするラインの次のラインをスキャン与否判断部３２０に出力する。
【００５７】
前記段階(Ｓ４１８)の判断結果、パネル２７０の全ラインをスキャンした場合にデータ信号貯蔵部２００は前記スキャンしたラインのデータ信号に形成されたフレームの次のフレームに対するデータ信号を貯蔵する。 
【００５８】
すなわち、図６に示したようにプラズマディスプレイパネル２７０の１番目ラインＬ１と４番目ラインＬ４のデータ信号が同一であると仮定する場合、１番目ラインＬ１に該当するスキャン電極にスキャン信号を印加する時４番目ラインＬ４に該当するスキャン電極に同時にスキャン信号を印加する。そして、４番目Ｌ４に該当するスキャン電極をスキャンする時間はスキップする。
【００５９】
このような本発明はデュアルスキャン方式のプラズマディスプレイパネル２７０にも適用することができる。すなわち、図７に示したように、上部パネル２７０−１において１番目ラインＴＬ１と３番目ラインＴＬ３のデータ信号が同一であり、また下部パネル２７０−２において２番目ラインＢＬ２と３番目ラインＢＬ３のデータ信号が同一であると仮定する場合、上部パネル２７０−１は１番目ラインＴＬ１と３番目ラインＴＬ３に該当するスキャン電極に同時にスキャン信号を印加し、下部パネル２７０−２は２番目ラインＢＬ２と３番目ラインＢＬ３に該当するスキャン電極に同時にスキャン信号を印加する。
【００６０】
従って、本発明のマルチスキャン装置及び方法によれば、プラズマディスプレイパネル２７０の全てのスキャン電極にスキャン信号を印加する時間を短縮することができ、サステイン時間を延ばしてプラズマディスプレイパネル２７０に表示される映像の輝度を増加させることができる。
【００６１】
以上本発明は具体的な例についてだけ詳しく説明したきたが、本発明の技術思想や範囲内で多様な変形及び修正が可能なことは当業者にとって明らかであり、このような変形及び修正が特許請求の範囲に属することは当然である。
【図面の簡単な説明】
【００６２】
【図１】従来のプラズマディスプレイパネルのスキャン装置の構成を示した装置の構成を示したブロック図。
【図２】従来のプラズマディスプレイパネルのスキャン装置の動作を説明するための図である。
【図３】本発明のプラズマディスプレイパネルのマルチスキャン装置の構成を示したブロック図
【図４】図３のスキャンライン選択部の詳細な構成を示したブロック図。
【図５】本発明のプラズマディスプレイパネルのマルチスキャン方法を示した流れ図。
【図６】シングルスキャンのプラズマディスプレイパネルに本発明のマルチスキャン方法に従ってスキャン信号を印加する動作を説明するための図である。
【図７】デュアルスキャン方式のプラズマディスプレイパネルに本発明のマルチスキャン方法に従ってスキャン信号を印加する動作を説明するための図である。
【図１】
2006251799.tif 000003
【図２】
2006251799.tif 000004
【図３】
2006251799.tif 000005
【図４】
2006251799.tif 000006
【図５】
2006251799.tif 000007
【図６】
2006251799.tif 000008
【図７】
2006251799.tif 000009